(57)【特許請求の範囲】
【請求項１】
複数の測距点それぞれにて測距値を得ることができる測距装置において、
前記測距値を基にオートフォーカス用のデータを算出する演算手段を有し、
前記演算手段は、至近側の距離範囲内に納まる複数の測距値が得られたときには該複数の測距値に基づいて算出された値がフォーカス可能な最至近距離よりも短い場合に警告を出し、前記最至近距離よりも長い場合には該複数の測距値のいずれかか前記最至近距離よりも短くても前記警告を出さないことを特徴とする測距装置。
【請求項２】
前記演算手段は、前記至近側の距離範囲内に納まる複数の測距値の平均値によりオートフォーカス用のデータを算出することを特徴とする請求項１に記載の測距装置。
【請求項３】
前記演算手段は、前記至近側の距離範囲内に納まる複数の測距値それぞれの被写界深度を考慮してオートフォーカス用のデータを算出することを特徴とする請求項２に記載の測距装置。
【請求項４】
前記演算手段は、前記至近側の距離範囲内に納まる複数の測距値の多数決によってオートフォーカス用のデータを算出することを特徴とする請求項１に記載の測距装置。
【請求項５】
複数の測距点それぞれにて測距値を得ることができる測距装置を有するカメラにおいて、
前記測距値を基にオートフォーカス用のデータを算出する演算手段を有し、
前記演算手段は、至近側の距離範囲内に納まる複数の測距値が得られたときには該複数の測距値に基づいて算出された値がフォーカス可能な最至近距離よりも短い場合に警告を出し、前記最至近距離よりも長い場合には該複数の測距値のいずれかか前記最至近距離よりも短くても前記警告を出さないことを特徴とするカメラ。
【発明の詳細な説明】
【０００１】
【発明の属する技術分野】
本発明は、複数の測距点それぞれにて測距値を得ることができる測距装置及びカメラの改良に関するものである。
【０００２】
【従来の技術】
従来の多点測距装置として、例えば、複数の測距点の位置及び距離よりグループ分けして、グループの平均を測距値とするもの（特開平６−３３１８８３号）や、複数視野全部の平均と中央部視野と複数視野の組み合わせによる測距値の最も近い方を測距値とするもの（特開昭５９−１９３３０７号）や、加重平均を行っているもの（特開昭６３−１６３８３０号）など、種々提案されている。
【０００３】
【発明が解決しようとする課題】
しかしながら、上記の従来の測距装置においては、全距離範囲で測距点のグループ分けをしながら平均を取っていると演算時間が長くなり、レリーズタイムラグとなり、また通常距離では１点にフォーカスしたいことが多く、平均を取るとフォーカスの甘い写真になることがある。また、近距離優先とする装置の場合、最至近より１点でも近いと至近距離警告となり、撮影できないことがあるが、近距離側の被写体にも奥行きがあり、最至近にフォーカスしない方が写真としてよいことがある。
【０００４】
また、ファインダ光軸と撮影レンズの光軸が異なるレンズシャッタカメラに於いては、近距離側になるとファインダの測距点マークと実際の測距点の位置がずれてくるので複数の測距値を考慮した方がよい。すなわち、近距離側では中央部視野という特別な重みづけは良くないことがわかる。
【０００５】
また、ＰＳＤのような位置センサを用いた場合、受光像のぼけによるセンサからのはみ出しや、センサの端部での受光でリニアリティーが近側で精度が落ちることがある。このような場合も複数点の測距値を使うことで平均化されて誤差が少なくなることがわかる。
【０００６】
また、従来は位置及び距離によるグループ分けであり、距離範囲だけによるグループ分けを行うものは存在しなかった。
【０００８】
（発明の目的）
本発明の目的は、オートフォーカスが可能な最至近より近い測距値があっても、全体のフォーカスが適正になる時は警告を行わず、近距離側の測距対象の奥行きを考慮した測距を行うことのできる測距装置及びカメラを提供しようとするものである。
【００１０】
【課題を解決するための手段】
上記目的を達成するために、本発明の測距装置は、複数の測距点それぞれにて測距値を得ることができる測距装置において、前記測距値を基にオートフォーカス用のデータを算出する演算手段を有し、前記演算手段が、至近側の距離範囲内に納まる複数の測距値が得られたときには該複数の測距値に基づいて算出された値がフォーカス可能な最至近距離よりも短い場合に警告を出し、前記最至近距離よりも長い場合には該複数の測距値のいずれかか前記最至近距離よりも短くても前記警告を出さないことを特徴とする。
【００１１】
同じく上記目的を達成するために、本発明のカメラは、複数の測距点それぞれにて測距値を得ることができる測距装置を有するカメラにおいて、前記測距値を基にオートフォーカス用のデータを算出する演算手段を有し、前記演算手段が、至近側の距離範囲内に納まる複数の測距値が得られたときには該複数の測距値に基づいて算出された値がフォーカス可能な最至近距離よりも短い場合に警告を出し、前記最至近距離よりも長い場合には該複数の測距値のいずれかか前記最至近距離よりも短くても前記警告を出さないことを特徴とする。
【００１５】
【発明の実施の形態】
以下、本発明を図示の実施の形態に基づいて詳細に説明する。
【００１６】
図１は本発明の実施の一形態に係るカメラの主要部分の回路構成を示すブロック図であり、同図において、１は全体を制御するマイコンである。２は後述する受光センサからの信号を処理してマイコン１に処理した信号を出力する受光回路、３はＬ，Ｃ，Ｒ、つまり画面内のレフト（左側），センタ（中央部），ライト（右側）の各点（各視野）に対応する被写体を測距するためのセンサを有する受光センサ、４は受光レンズ、５は測距する物体に向けて投光する投光レンズ、６は画面内のレフト（左側），センタ（中央部），ライト（右側）の各点に対応する被写体を測距するのに使用される３個の投光素子、７は各投光素子を駆動する投光回路である。
【００１７】
上記受光回路２から投光回路７までにより測距装置を構成している。
【００１８】
８はシャッタ駆動回路であり、カメラの不図示のシャッタを制御して、フィルムに露光を行う。９はフォーカス駆動回路であり、カメラ不図示のレンズを駆動して測距装置から得られた被写体距離にピントが合うようにする。１０は給送駆動回路であり、不図示のフィルムの巻き上げ及び巻き戻しを行う。１１は警告装置であり、撮影者に対して音や光で至近警告等を行う。
【００１９】
次に、図２のフローチャートを用いて、測距動作について説明する。
【００２０】
マイコン１は、ステップ＃１〜＃３にて、投光回路７、投光素子６、受光センサ３及び受光回路２をそれぞれ駆動して、画面内のセンタ、ライト、レフトの順で、それぞれ測距を行い、ステップ＃４へ進む。そして、ステップ＃４にて、上記ステップ＃１〜＃３で得られた各測距値を、距離の近い順に、Ｄ１，Ｄ２，Ｄ３に並び替える。
【００２１】
次のステップ＃５では、最も遠い距離である測距値Ｄ３が所定距離より近いかどうかを判定し、近い場合はステップ＃７へ進み、３点の距離がすべて所定距離より近いことから、被写界深度等を考えて、（Ｄ１＋Ｄ２＋Ｄ３）／３なる演算をして、これをフォーカス合わせに用いる測距値（オートフォーカス用のデータ）Ｄとしてステップ＃１０へ進む。
【００２２】
また、測距値Ｄ３が所定距離より近くない場合はステップ＃６へ進み、ここでは次に近い距離である測距値Ｄ２が所定の距離より近いかどうかを判定し、近ければステップ＃８へ進み、測距値Ｄ１と測距値Ｄ２が所定距離より近いので、測距値Ｄ３は無視して、（Ｄ１＋Ｄ２）／２なる演算をして、これをフォーカス合わせに用いる測距値Ｄとしてステップ＃１０へ進む。一方、測距値Ｄ２が所定の距離より近くなければステップ＃９へ進み、測距値Ｄ２，Ｄ３が所定距離より近くないので、近距離優先として測距値Ｄ１をフォーカス合わせに用いる測距値Ｄとしてステップ＃１０へ進む。
【００２３】
ステップ＃１０では、上記ステップ＃７，＃８又は＃９のいずれかで求められた測距値Ｄが、フォーカス駆動回路９によりオートフォーカス可能な範囲である至近（最至近）より遠いかどうかを判定し、遠ければ測距動作を終了する。
【００２４】
一方、測距値Ｄがオートフォーカス可能な範囲である至近よりも遠くなければステップ＃１１へ進み、オートフォーカス可能な範囲の至近であるＤ０を測距値Ｄとする。そしてステップ＃１２へ進み、図１に示した警告装置１１を用いて警告を行い、測距動作を終了する。
【００２５】
なお、上記ステップ＃７，＃８にて被写界深度を考慮した平均を求めたが、所定範囲内で多数同一距離がある時には、これを優先してもよい。
【００２６】
また、上記の実施の形態では、測距点数を３点としたが、５点、７点と多くなっても同様の効果を得ることができるものである。
【００２７】
上記の実施の形態によれば、至近側の所定距離範囲内に複数の測距値が得られた場合には、該複数の測距値（該複数の測距値が得られる測距点）よりオートフォーカス用の測距値を得るようにしているので（＃７，＃８）、至近近くにある生け花のような被写体であっても、レリーズタイムラグを生じることなく、素早く前記被写体に対してフォーカス合わせを適正に行うことができる。
【００２８】
また、至近側の所定距離範囲に、オートフォーカスの最至近距離を含むようにしているので、測距値にオートフォーカス可能な範囲の最至近より近い値があっても、全体のフォーカスが適正になる時は警告を行わず、近距離側の被写体の奥行きを考慮したフォーカス合わせを行うことができる（＃７，＃８，＃９→＃１０→測距エンド）。
【００２９】
また、複数の測距値の被写界深度の平均値とするか、複数の測距値の多数決とするか等により、近側の複数の測距値から最適なフォーカス合わせを選択的に行うことができる。
【００３０】
また、所定距離範囲を撮影レンズの焦点距離または絞り値より求めることで、近距離側の所定距離範囲を最適にすることができる。
【００３１】
【発明の効果】
以上説明したように、本発明によれば、オートフォーカスが可能な最至近より近い測距値があっても、全体のフォーカスが適正になる時は警告を行わず、近距離側の測距対象の奥行きを考慮した測距を行うことができる。
【図面の簡単な説明】
【図１】本発明の実施の一形態に係るカメラの回路構成を示すブロック図である。
【図２】本発明の実施の一形態に係るカメラの測距動作について説明するためのフローチャートである。
【符号の説明】
１      マイコン
２      受光回路
３      受光センサ
４      受光レンズ
５      投光レンズ
６      投光素子
７      投光回路
９      フォーカス駆動回路
１１    警告装置
【図１】
0004541479.tif 000002
【図２】
0004541479.tif 000003